(57)【要約】【課題】安全ネットの脱落を極めて良好に防止できる安全ネット掛止具並びにこの安全ネット掛止具を具備する建築用横架骨組材を提供すること。【解決手段】横架骨組材１に固定可能な固定部４の一側に、安全ネット３を掛止可能な掛止杆６を設け、固定部４の他側に、掛止杆６に掛止した安全ネット３が固定部４の他側方向に移動して抜脱することを防止する抜脱防止杆９を設け、掛止杆６は、固定部４の一側から上方へ立設する立ち上がり杆部７と、この立ち上がり杆部７から抜脱防止杆９に向けて横向きに突設する横杆部８とから成り、抜脱防止杆９は、固定部４の他側から上方へ立設状態に設け、掛止杆６の横杆部８の突設先端側と前記抜脱防止杆９とを側面視で交差状態に設けると共に、この交差部10間にネット挿入用間隙11を形成した安全ネット掛止具。【選択図】図２
2011241616.tif 000002
【特許請求の範囲】
【請求項１】
建築物の横架骨組材の取付箇所に固定されて、安全ネットを掛止張設可能な安全ネット掛止具であって、前記横架骨組材の取付箇所に固定可能な固定部と、この固定部の一側に設けられて前記安全ネットをネット張設用空間部に掛止可能な掛止杆と、この掛止杆の反対側となる前記固定部の他側に設けられて掛止杆に掛止した前記安全ネットが固定部の他側方向に移動して抜脱することを防止する抜脱防止杆とから成り、前記掛止杆は、前記固定部の一側から上方へ立設する立ち上がり杆部と、この立ち上がり杆部から前記抜脱防止杆に向けて横向きに突設する横杆部とから成る構成とし、前記抜脱防止杆は、前記固定部の他側から上方へ立設状態に設け、前記掛止杆の横杆部の突設先端側と前記抜脱防止杆とを側面視で交差状態に設けると共に、この横杆部と抜脱防止杆の交差部間に、前記安全ネットを挿脱自在に挿入して横杆部の突設先端部に掛止可能なネット挿入用間隙を形成したことを特徴とする安全ネット掛止具。
【請求項２】
前記掛止杆の横杆部は、前記固定部と平行状態に設け、前記抜脱防止杆は、前記掛止杆の立ち上がり杆部側に向けて傾斜するようにして立設状態に設け、前記掛止杆の立ち上がり杆部と前記抜脱防止杆とを、前記固定部に対してこの掛止杆と抜脱防止杆の対向方向と直交する方向に角度を異ならせて立設状態に設けることで、この掛止杆の横杆部の突設先端側と抜脱防止杆とを側面視で交差状態に設けると共に、この掛止杆の前記横杆部と抜脱防止杆の交差部間に前記ネット挿入用間隙を形成したことを特徴とする請求項１記載の安全ネット掛止具。
【請求項３】
一本の杆材の中間部を前記固定部とし、この固定部の一側杆部を屈曲形成して前記立ち上がり杆部と前記横杆部とを備えた前記掛止杆を構成すると共に、固定部の他側杆部を屈曲形成して前記抜脱防止杆を構成したことを特徴とする請求項１，２のいずれか１項に記載の安全ネット掛止具。
【請求項４】
前記掛止杆の横杆部は、その突設先端部が前記抜脱防止杆との交差部より外方へ突出する形状に形成し、前記抜脱防止杆は、その上端部が前記横杆部との交差部より上方へ突出する形状に形成したことを特徴とする請求項１〜３のいずれか１項に記載の安全ネット掛止具。
【請求項５】
前記請求項１〜４のいずれか１項に記載の安全ネット掛止具を固定して成ることを特徴とする建築用横架骨組材。
【発明の詳細な説明】
【技術分野】
【０００１】
本発明は、高所作業用の安全ネットを任意の場所に掛止して張設することができる安全ネット掛止具並びにこの安全ネット掛止具を具備した建築用横架骨組材に関するものである。
【背景技術】
【０００２】
従来から、高所で作業する作業者が万一足を踏み外して墜落した時に地面などに激突することを防止したり、高所から誤って物を落とした時に下方の作業者に当たって負傷することを防ぐために安全ネットが多用されている。
【０００３】
出願人は、この安全ネットを張設するための金具の開発を行っており、特許第４１８７７３２号（特許文献１）他、多数の特許出願を行っている。
【０００４】
この特許文献１を簡単に説明すると、金具本体を略コ字状に形成し、この金具本体の遊離両端部の一端にボルトを螺着固定すると共に、このボルトの回動螺動によりボルト先端が遊離両端部の他端に対し接離移動するように設けて、このボルト先端と遊離他端部とで建築物の柱材や梁材などの取付対象物に挟持締付固定可能な固定部を構成し、この固定部の反対側となる前記金具本体の背面に安全ネットの周辺部を掛下げするための掛下部を設けた構成で、例えば、安全ネットを張設したい建築途中の建築物の骨組であるＨ形鋼のフランジ部に、前記固定部を介して金具を挟持締付固定し、任意の空間部を囲繞する複数のＨ形鋼に対して多数固定したこの安全ネット張設金具の前記各掛下部に、安全ネットの周辺部を掛下することで骨組間の任意の空間部に安全ネットを張設できるものである。
【０００５】
また、前記掛下部を更に具体的に説明すると、前記金具本体の背面に、略Ｌ字状の金属製棒体をこの背面の上下二箇所に付設すると共に、この上下の金属製棒体の夫々の先端部を上側に付設した金属製棒体の先端部は下方へ向けて斜設し、下側に付設した金属製棒体の先端部は上方へ向けて斜設し、更に、この斜設する夫々の金属製棒体の先端側部を間隔を置いた略平行状態となるように設けてこの両先端側部間の間隔部をネット挿入用間隙とし、このネット挿入用間隙から簡単に安全ネット周辺部の張設ロープ部などを掛下したり掛外したりでき、掛下時には、ネット周辺部の張設ロープ部が金属製棒体の間隔部と略直交状態となって、簡単には抜け外れない構成となっている。
【先行技術文献】
【特許文献】
【０００６】
【特許文献１】特許第４１８７７３２号公報
【発明の概要】
【発明が解決しようとする課題】
【０００７】
近年は、世界的な異常気象に見舞われ、想定外の強風が吹き荒れることが多くなってきている。
【０００８】
本発明は、従来品と同等の安全ネットの脱着容易性を確保しながらも、想定外の強風などによる非常に強い吹き上げ力が安全ネットに加わった際に、掛止した安全ネットの脱落を極めて良好に防止できる非常に信頼性の高い安全ネット掛止具並びにこの安全ネット掛止具を具備した建築用横架骨組材を提供することが技術的課題である。
【課題を解決するための手段】
【０００９】
添付図面を参照して本発明の要旨を説明する。
【００１０】
建築物の横架骨組材１の取付箇所２に固定されて、安全ネット３を掛止張設可能な安全ネット掛止具Ａであって、前記横架骨組材１の取付箇所２に固定可能な固定部４と、この固定部４の一側に設けられて前記安全ネット３をネット張設用空間部５に掛止可能な掛止杆６と、この掛止杆６の反対側となる前記固定部４の他側に設けられて掛止杆６に掛止した前記安全ネット３が固定部４の他側方向に移動して抜脱することを防止する抜脱防止杆９とから成り、前記掛止杆６は、前記固定部４の一側から上方へ立設する立ち上がり杆部７と、この立ち上がり杆部７から前記抜脱防止杆９に向けて横向きに突設する横杆部８とから成る構成とし、前記抜脱防止杆９は、前記固定部４の他側から上方へ立設状態に設け、前記掛止杆６の横杆部８の突設先端側と前記抜脱防止杆９とを側面視で交差状態に設けると共に、この横杆部８と抜脱防止杆９の交差部10間に、前記安全ネット３を挿脱自在に挿入して横杆部８の突設先端部に掛止可能なネット挿入用間隙11を形成したことを特徴とする安全ネット掛止具に係るものである。
【００１１】
また、前記掛止杆６の横杆部８は、前記固定部４と平行状態に設け、前記抜脱防止杆９は、前記掛止杆６の立ち上がり杆部７側に向けて傾斜するようにして立設状態に設け、前記掛止杆６の立ち上がり杆部７と前記抜脱防止杆９とを、前記固定部４に対してこの掛止杆６と抜脱防止杆９の対向方向と直交する方向に角度を異ならせて立設状態に設けることで、この掛止杆６の横杆部８の突設先端側と抜脱防止杆９とを側面視で交差状態に設けると共に、この掛止杆６の前記横杆部８と抜脱防止杆９の交差部10間に前記ネット挿入用間隙11を形成したことを特徴とする請求項１記載の安全ネット掛止具に係るものである。
【００１２】
また、一本の杆材12の中間部を前記固定部４とし、この固定部４の一側杆部を屈曲形成して前記立ち上がり杆部７と前記横杆部８とを備えた前記掛止杆６を構成すると共に、固定部４の他側杆部を屈曲形成して前記抜脱防止杆９を構成したことを特徴とする請求項１，２のいずれか１項に記載の安全ネット掛止具に係るものである。
【００１３】
また、前記掛止杆６の横杆部８は、その突設先端部が前記抜脱防止杆９との交差部10より外方へ突出する形状に形成し、前記抜脱防止杆９は、その上端部が前記横杆部８との交差部10より上方へ突出する形状に形成したことを特徴とする請求項１〜３のいずれか１項に記載の安全ネット掛止具に係るものである。
【００１４】
また、前記請求項１〜４のいずれか１項に記載の安全ネット掛止具Ａを固定して成ることを特徴とする建築用横架骨組材に係るものである。
【発明の効果】
【００１５】
本発明は上述のように構成したから、従来品と同様にネット挿入用間隙から安全ネットの掛止部位を容易に掛止・掛脱できる構成でありながら、想定外の強風が吹き荒れるような状況で安全ネットが上方へ強く吹き上げられても、安全ネットが掛止杆から脱落することを極めて良好に防止できる実用性に優れた画期的な安全ネット掛止具となる。
【００１６】
即ち、本発明によれば、強風などにより安全ネットが吹き上げられると、その掛止部位は、上方へと移動するが、この上動した掛止部位は、立ち上がり杆部から抜脱防止杆に向けて横向きに突設する横杆部に当接することによってこの横杆部より上方へ移動することが阻止されることとなり、また、横杆部に当接した安全ネットの掛止部位は、この横杆部に沿って横移動できるが、この掛止部位が抜脱防止杆方向へ横移動した場合であっても、横杆部の突設先端側と交差する抜脱防止杆に当接することによってこの抜脱防止杆より横杆部の突設先端側に移動することが阻止されるので、この横杆部と抜脱防止杆の交差部間のネット挿入用間隙から安全ネットの掛止部位が抜け外れることがない極めて信頼性の高い安全ネット掛止具となる。
【００１７】
また、請求項２記載の発明においては、横杆部の突設先端側と抜脱防止杆の交差部間にネット挿入用間隙を有する構造を簡易に設計実現可能となり、しかも、横杆部に沿って安全ネットの掛止部位が抜脱防止杆方向に移動しようとしても、その移動方向が安全ネットを外方へ引き伸ばそうとする方向となるため、安全ネットの復帰力もあって掛止部位が抜脱防止杆方向に移動することが困難となり、その上、安全ネットの掛止部位が横杆部に沿って横移動して抜脱防止杆に当接した場合でも、立ち上がり杆部側に向けて傾斜するこの抜脱防止杆に沿って掛止部位が下方の固定部へと向かうように移動案内されるので、掛止部位がネット挿入用間隙へと導かれることが確実に阻止されて掛止状態が良好に維持されることになる極めて実用性に優れた安全ネット掛止具となる。
【００１８】
また、請求項３記載の発明においては、単に一本の杆材を折曲形成することによって前記作用・効果を発揮する安全ネット掛止具を極めて容易に設計実現可能となる。
【００１９】
また、請求項４記載の発明においては、安全ネットに非常に強い力が作用して掛止部位に隣接する部位が横杆部や抜脱防止杆の外方へ強い力で引っ張られるような状況にあっても、この掛止部位に隣接する部位が抜脱防止杆の上端部や横杆部の突設先端部から抜け外れることが防止される一層信頼性の高い安全ネット掛止具となる。
【００２０】
また、請求項５記載の発明においては、前記作用・効果を発揮する極めて実用性に優れた建築用横架骨組材となる。
【図面の簡単な説明】
【００２１】
【図１】本実施例を示す斜視図である。
【図２】本実施例の安全ネット掛止具の使用状態（安全ネット掛止具が固定された建築用横架骨組材）を示す概略説明図である。
【図３】本実施例の使用状態を示す部分拡大説明正面図である。
【図４】本実施例の使用状態を示す部分拡大説明側面図である。
【発明を実施するための形態】
【００２２】
好適と考える本発明の実施形態を、図面に基づいて本発明の作用を示して簡単に説明する。
【００２３】
本発明の安全ネット掛止具Ａを使用して、例えば、建築物の横架骨組材１で囲まれた空間部（ネット張設用空間部５）に、作業者の墜落や物の落下などを防止するための安全ネット３を掛止張設することができる。
【００２４】
具体的には、例えば横架骨組材１の水平な取付箇所２に、固定部４を例えば溶接するなどして本発明の安全ネット掛止具Ａを横架骨組材１に固定する。また、この際、掛止杆６がネット張設用空間部５側に位置するようにして固定する。尚、予め安全ネット掛止具Ａを固定して成る建築用横架骨組材１を用いて建築物を構築するようにしても良い。
【００２５】
例えば、ネット張設用空間部５を囲う横架骨組材１に夫々間隔を置いて固定されている複数の安全ネット掛止具Ａの夫々に、掛止杆６を介して安全ネット３の掛止部位13を掛止することで、ネット張設用空間部５に安全ネット３を掛止張設することができる。
【００２６】
また、安全ネット３の掛止は、ネット挿入用間隙11から、例えば安全ネット３の周縁部の張設ロープ部13などの掛止部位13を挿入して横杆部８の突設先端部から掛止杆６に掛止することによって容易に行われる。
【００２７】
掛止られた安全ネット３の掛止部位13は、安全ネット３の自重により掛止杆６のネット張設用空間部５の中心方向へと引っ張られて、立ち上がり杆部７に掛止られた状態となっているが、例えば強風により安全ネット３が吹き上げられると、その掛止部位13は、立ち上がり杆部７に沿って上方へと移動し、立ち上がり杆部７から前記抜脱防止杆９に向けて横向きに突設する横杆部８に当接することによってこの横杆部８より上方へ移動することが阻止される。
【００２８】
また、この横杆部８に当接した安全ネット３の掛止部位13は、この横杆部８に沿って横方向（横杆部８の長さ方向）に移動可能であるが、立ち上がり杆部７方向に移動した場合には、この立ち上がり杆部７に当接して掛止状態が維持される。逆に、掛止部位13が抜脱防止杆９方向に移動した場合には、横杆部８の突設先端側と交差する抜脱防止杆９に当接することによってこの抜脱防止杆９より横杆部８の突設先端側に移動することが阻止されるので、この横杆部８と抜脱防止杆９の交差部10間の前記ネット挿入用間隙11から安全ネット３の掛止部位13が抜け外れることはない。
【００２９】
従って、想定外の強風が吹き荒れるような状況で安全ネット３が上方へ強く吹き上げられても、安全ネット３が抜け外れることが確実に防止されることになる。
【００３０】
安全ネット３を掛止杆６から取り外す時は、掛止部位13とその隣接部位を横杆部８と略平行となるように操作することによって容易にネット挿入用間隙11を介して横杆部８の突設先端部から抜き外すことが可能である。
【００３１】
また、例えば、前記掛止杆６の横杆部８は、前記固定部４と平行状態に設け、前記抜脱防止杆９は、前記掛止杆６の立ち上がり杆部７側に向けて傾斜するようにして立設状態に設け、前記掛止杆６の立ち上がり杆部７と前記抜脱防止杆９とを、前記固定部４に対してこの掛止杆６と抜脱防止杆９の対向方向と直交する方向に角度を異ならせて立設状態に設けることで、この掛止杆６の横杆部８の突設先端側と抜脱防止杆９とを側面視で交差状態に設けると共に、この掛止杆６の前記横杆部８と抜脱防止杆９の交差部10間に前記ネット挿入用間隙11を形成すれば、掛止杆６の立ち上がり杆部７と抜脱防止杆９との固定部４に対する立設角度を異ならせるだけの簡易な構成により確実に横杆部８の突設先端側と抜脱防止杆９の交差部10間にネット挿入用間隙11を有する構造を実現可能となる。
【００３２】
また、横杆部８に沿って安全ネット３の掛止部位13が抜脱防止杆９方向に移動しようとすることが、安全ネット３自身を外方へ引き伸ばそうとすることになるので、この伸びに抗する安全ネット３の復帰力もあって、安全ネット３の掛止部位13が外側へ伸びようとすることが困難となり、よってネット挿入用間隙11方向へ安全ネット３の掛止部位13が移動しにくい。
【００３３】
更に、安全ネット３の掛止部位13が横杆部８に沿って横移動して抜脱防止杆９に当接した場合でも、掛止杆６の立ち上がり杆部７側に向けて傾斜するようにして立設するこの抜脱防止杆９に沿って掛止部位13が下方の固定部４へと向かうように移動案内されるので、掛止部位13がネット挿入用間隙11へと導かれることが確実に阻止されることになる。
【００３４】
また、例えば、前記掛止杆６の横杆部８は、その突設先端部が前記抜脱防止杆９との交差部10より外方へ突出する形状に形成し、前記抜脱防止杆９は、その上端部が前記横杆部８との交差部10より上方へ突出する形状に形成すれば、安全ネット３に非常に強い力が作用して横杆部８に当接している掛止部位13の隣接部位が横杆部８の外方へ強い力で引っ張られても、抜脱防止杆９の上端部が横杆部８より外方へ突出しているためにこの抜脱防止杆９の上端部を掛止部位13の隣接部位を越えることが非常に困難となる。
【００３５】
従って、掛止部位13の隣接部位が抜脱防止杆９の上端部を越えることによる掛止部位13の脱落を生じにくい。
【００３６】
また、抜脱防止杆９に当接している掛止部位13の隣接部位が抜脱防止杆９の外方へ強い力で引っ張られても、横杆部８の突設先端部が抜脱防止杆９より外方へ突出しているためにこの横杆部８の突設先端部を掛止部位13の隣接部位が越えることが非常に困難となる。
【００３７】
従って、掛止部位13の隣接部位が横杆部８の突設先端部を越えることによる掛止部位13の脱落も生じにくい。
【００３８】
よって、安全ネット３の掛止部位13に隣接する部位が非常に強い力で引っ張られても、横杆部８の突設先端部や抜脱防止杆９の上端部から抜け外れることが防止されるので、安全ネット３の掛止部位13の掛止状態が一層確実に維持されることになる。
【実施例】
【００３９】
本発明の具体的な実施例について図面に基づいて説明する。
【００４０】
本実施例は、建築物の横架骨組材１の水平な取付箇所２に固定されて、この横架骨組材１で囲まれた空間部（ネット張設用空間部５）に、作業者の墜落や物の落下などを防止するための安全ネット３を掛止張設するための安全ネット掛止具Ａに係るものである。尚、図面の横架骨組材１は、Ｈ形鋼１を採用し、このＨ形鋼１のフランジ部２（図面では下側のフランジ部２）の上面を水平な取付箇所２として採用した場合を示している。
【００４１】
具体的には、前記横架骨組材１の取付箇所２に固定可能な固定部４と、この固定部４の一側に設けられて前記安全ネット３をネット張設用空間部５に掛止可能な掛止杆６と、この掛止杆６の反対側となる前記固定部４の他側に設けられて掛止杆６に掛止した前記安全ネット３の掛止部位13が固定部４の他側方向に移動して抜脱することを防止する抜脱防止杆９とから成る構成としている。
【００４２】
また、本実施例の掛止杆６は、前記固定部４の一側から鉛直上方へ立設するストレート杆形状の立ち上がり杆部７と、この立ち上がり杆部７の上端部から前記抜脱防止杆９に向けて固定部４と平行な水平横向きに突設する（立ち上がり杆部７の立設方向に対して直角方向に突設する）ストレート杆形状の横杆部８とから成るＬ形杆に構成している。
【００４３】
また、本実施例の抜脱防止杆９は、前記固定部４の他側から上方へ立設するストレート杆で構成すると共に、前記掛止杆６の立ち上がり杆部７側に向けてやや傾斜する立設状態に設け、この抜脱防止杆９の上側部を、側面視で（固定部４をその一側から他側にかけての長さ方向と直交する方向から見て）前記掛止杆６の横杆部８の突設先端側と交差状態となるように設けている。
【００４４】
また、本実施例では、前記掛止杆６の横杆部８は、その突設先端部が前記抜脱防止杆９との交差部10より外方へ突出する形状に形成し、前記抜脱防止杆９は、その上端部が前記横杆部８との交差部10より上方へ突出する形状に形成している。
【００４５】
更に詳しくは、本実施例では、一本の断面丸形の金属製杆材12を折曲形成することによって構成している。即ち、杆材12の中間杆部を前記固定部４とし、この固定部４の一側杆部を転Ｌ字形に屈曲形成することによってこの一側杆部を前記立ち上がり杆部７と前記横杆部８とを備えた前記掛止杆６に構成すると共に、固定部４の他側杆部をやや立ち上がり杆部７側に傾くようにして上方へ屈曲形成することによってこの他側杆部を前記抜脱防止杆９に構成している。
【００４６】
本実施例では、この横杆部８と抜脱防止杆９の交差部10間に、前記安全ネット３の掛止部位13を挿脱自在に挿入して横杆部８の突設先端部から掛止可能とするネット挿入用間隙11を形成している。
【００４７】
具体的には、前記掛止杆６の立ち上がり杆部７と前記抜脱防止杆９とを、前記固定部４に対してこの掛止杆６と抜脱防止杆９の対向方向と直交する方向に角度を異ならせて立設状態に設けることで、この掛止杆６の横杆部８の突設先端側と抜脱防止杆９とを側面視で交差状態に設けると共に、この掛止杆６の前記横杆部８と抜脱防止杆９の交差部10間に前記ネット挿入用間隙11を形成している。
【００４８】
更に詳しくは、立ち上がり杆部７と抜脱防止杆９の固定部４に対する立設方向を、固定部４の軸芯を中心として、この固定部４の軸周り方向（固定部４の外周面の周方向）に35°〜40°程度（好ましくは37°）角度を異ならせて立設させることにより、交差部10の横杆部８と抜脱防止杆９との間に９〜13ｍｍ程度（好ましくは11ｍｍ）の隙間を生じるように構成し、この隙間を前記ネット挿入用間隙11としている。例えば、安全ネット３の掛止部位13を横杆部８と略平行にすることで、このネット挿入用間隙11から掛止部位13を挿入・挿脱可能な構成としている。
【００４９】
次に、本実施例の安全ネット掛止具Ａの使用方法を説明する。
【００５０】
例えば、空間（ネット張設用空間部５）を囲うようにして配設されている複数のＨ形鋼１の夫々のフランジ部２の水平上面に、固定部４を溶接固定することによって本実施例の安全ネット掛止具ＡをＨ形鋼１の長さ方向に間隔を置いて複数固定すると共に、いずれも掛止杆６がネット張設用空間部５側に位置するようにして固定する。また、この際、本実施例では、抜脱防止杆９がフランジ部２の上面に対し略直角な状態で立設するようにして（立ち上がり杆部７がフランジ部２の上面に対し傾斜した状態で立設するようにして）固定部４をフランジ部２に固定した場合を示している。尚、固定部４の固定手段は溶接に限定されるものではなく、適宜変更可能である。
【００５１】
そして、各安全ネット掛止具Ａのネット挿入用間隙11に安全ネット３の周縁部の張設ロープ部13（掛止部位13）を挿入し、この張設ロープ部13を横杆部８の突設先端部から掛止杆６に掛止することで、ネット張設用空間部５に安全ネット３を掛止張設することができる。尚、図面では、安全ネット３の張設ロープ部13を掛止杆６への掛止部位13とした場合を示したが、安全ネット３の掛止方法についてはこれに限られるものではない。
【００５２】
すると、掛止られた安全ネット３の掛止部位13は、安全ネット３の自重により掛止杆６のネット張設用空間部５の中心方向へと引っ張られて、立ち上がり杆部７に掛止られた状態となっているが、例えば強風により安全ネット３が吹き上げられると、その掛止部位13は、立ち上がり杆部７に沿って上方へと移動し、立ち上がり杆部７から前記抜脱防止杆９に向けて横向きに突設する横杆部８に当接することによってこの横杆部８より上方へ移動することが阻止される。掛止部位13が立ち上がり杆部７に沿わずに上方へと移動した場合も、同様に横杆部８に当接することによってこの横杆部８より上方へ移動することが阻止される。
【００５３】
また、この横杆部８に当接した安全ネット３の掛止部位13は、この横杆部８に沿って横方向（横杆部８の長さ方向）に移動可能であるが、立ち上がり杆部７方向に移動した場合には、この立ち上がり杆部７に当接して掛止状態が維持される。
【００５４】
逆に、掛止部位13が抜脱防止杆９方向に移動した場合には、横杆部８の突設先端側と交差する抜脱防止杆９に当接することによってこの抜脱防止杆９より横杆部８の突設先端側に移動することが阻止されるので、この横杆部８と抜脱防止杆９の交差部10間の前記ネット挿入用間隙11から安全ネット３の掛止部位13が抜け外れることはない。また、この場合、横杆部８に沿って安全ネット３の掛止部位13が抜脱防止杆９方向に移動しようとすることが、安全ネット３自身を外方へ引き伸ばそうとすることになるので、この伸びに抗する安全ネット３の復帰力もあって、安全ネット３の掛止部位13が外側へ伸びようとすることが困難となり、よってネット挿入用間隙11方向へ安全ネット３の掛止部位13が移動しにくい。更に、安全ネット３の掛止部位13が横杆部８に沿って横移動して抜脱防止杆９に当接した場合でも、掛止杆６の立ち上がり杆部７側に向けて傾斜するようにして立設するこの抜脱防止杆９に沿って掛止部位13が下方の固定部４へと向かうように移動案内されるので、掛止部位13がネット挿入用間隙11へと導かれることが確実に阻止されることになる。
【００５５】
従って、想定外の強風が吹き荒れるような状況で安全ネット３が上方へ強く吹き上げられても、安全ネット３が抜け外れることが確実に防止されることになる。
【００５６】
また、立ち上がり杆部７に掛止られた状態の掛止部位が、固定部４に沿って抜脱防止杆９方向（横方向）に移動した場合には、抜脱防止杆９に当接することによってこの抜脱防止杆９より横方向へ移動することが阻止される。
【００５７】
また、この抜脱防止杆９に安全ネット３の掛止部位13が当接した状態で安全ネット３が吹き上げられると、掛止部位13が抜脱防止杆９に沿って上方へ移動するが、この際、抜脱防止杆９が立ち上がり杆部７側に向かって傾斜しているので、この傾斜抜脱防止杆９に沿って横杆部８の立ち上がり杆部７側へと移動案内されて前記ネット挿入用間隙11へと導かれにくく、よって安全ネット３の掛止部位13が抜け外れにくい。
【００５８】
また、安全ネット３に非常に強い力が作用して横杆部８に当接している掛止部位13の隣接部位が横杆部８の外方へ強い力で引っ張られても、抜脱防止杆９の上端部が横杆部８より外方へ突出しているためにこの抜脱防止杆９の上端部を掛止部位13の隣接部位を越えることが非常に困難となる。
【００５９】
また、抜脱防止杆９に当接している掛止部位13の隣接部位が抜脱防止杆９の外方へ強い力で引っ張られても、横杆部８の突設先端部が抜脱防止杆９より外方へ突出しているためにこの横杆部８の突設先端部を掛止部位13の隣接部位が越えることが非常に困難となる。
【００６０】
従って、掛止部位13の隣接部位が、抜脱防止杆９の上端部や横杆部８の突設先端部を越えることによって掛止部位13がネット挿入用間隙11から脱落するような不具合を生じにくい。
【００６１】
安全ネット３を掛止杆６から取り外す時は、掛止部位13とその隣接部位を横杆部８と略平行となるように操作することによって容易にネット挿入用間隙11を介して横杆部８の突設先端部から抜き外すことが可能である。
【００６２】
尚、本実施例では、横架骨組材１に固定する安全ネット掛止具Ａを示したが、本実施例の安全ネット掛止具Ａを予め工場などで横架骨組材１に固定して成る安全ネット掛止具Ａ付の建築用横架骨組材（図２参照）を構成しても良い。
【００６３】
また、本発明は、本実施例に限られるものではなく、各構成要件の具体的構成は適宜設計し得るものである。
【符号の説明】
【００６４】
１  横架骨組材
２  取付箇所
３  安全ネット
４  固定部
５  ネット張設用空間部
６  掛止杆
７  立ち上がり杆部
８  横杆部
９  抜脱防止杆
10  交差部
11  ネット挿入用間隙
12  杆材
Ａ  安全ネット掛止具
【図１】
2011241616.tif 000003
【図２】
2011241616.tif 000004
【図３】
2011241616.tif 000005
【図４】
2011241616.tif 000006